(57)【特許請求の範囲】
【請求項１】
被写体像を撮像する撮像手段と、
画像データに基づく投影用の画像を投影する投影手段と、
カメラ本体に設けられた表示モニタと、
前記投影用の画像の投影状態を調整処理する調整モードに設定する設定手段と、
前記設定手段により前記調整モードとして前記投影用の画像の台形補正が設定されると、一方の底辺が他方の底辺よりも小さくなるように歪んだ第１の台形パターンと、前記一方の底辺が前記他方の底辺よりも大きくなるように歪んだ第２の台形パターンとにそれぞれ対応し、複数の前記調整処理の各々の調整内容を特徴付ける複数の第１アイコンを、前記表示モニタにそれぞれ表示させる第１の表示制御手段と、
前記表示モニタに表示された前記複数の第１アイコンから一つのアイコンを選択するための第１の操作部と、
前記第１の操作部の操作により選択された一つのアイコンが前記第１の台形パターンに対応する第１アイコンである場合には、前記一方の底辺が前記他方の底辺よりも小さくなるように歪んでいる互いに異なった複数の台形パターンにそれぞれ対応し、前記台形補正の調整処理に対して微調整する微調整処理を特徴付ける複数の第２アイコンを、前記表示モニタにそれぞれ表示させ、前記第１の操作部の操作により選択された一つのアイコンが前記第２の台形パターンに対応する第１アイコンである場合には、前記一方の底辺が前記他方の底辺よりも大きくなるように歪んでいる互いに異なった複数の台形パターンにそれぞれ対応し、前記台形補正の調整処理に対して微調整する微調整処理を特徴付ける複数の第２アイコンを、前記表示モニタにそれぞれ表示させる第２の表示制御手段と、
前記表示モニタに表示された前記複数の第２アイコンから一つのアイコンを選択するための第２の操作部と、
前記第１の操作部の操作により前記一つの第１アイコンが選択されると、その選択時に投影されている前記投影用の画像に対して前記選択されたアイコンに対応付けられた台形補正の調整処理を施し、前記第２の操作部の操作により前記一つの第２アイコンが選択されると、前記投影されている前記投影用の画像に対して前記微調整処理を施す調整処理手段と、を備えたことを特徴とするプロジェクタ機能付きデジタルカメラ。
【請求項２】
請求項１に記載のプロジェクタ機能付きデジタルカメラにおいて、
前記調整モードの設定を前記設定手段に指示する操作入力部をさらに備えたことを特徴とするプロジェクタ機能付きデジタルカメラ。
【請求項３】
請求項１に記載のプロジェクタ機能付きデジタルカメラにおいて、
カメラ本体の傾きの変化を検出する検出手段をさらに備え、
前記設定手段は、前記検出手段により傾きの変化が検出されるとカメラの状態を前記調整モードに設定することを特徴とするプロジェクタ機能付きデジタルカメラ。
【発明の詳細な説明】
【技術分野】
【０００１】
本発明は、プロジェクタ機能付きデジタルカメラに関する。
【背景技術】
【０００２】
従来、プロジェクタを用いてスクリーン上に画像を拡大投影した場合、プロジェクタがスクリーンに正対していないと画像が台形状に歪んで投影されてしまう。そのような場合には、装置に設けられた調整スイッチを操作して台形歪み補正を行う必要がある。そして、このような補正作業をより簡単に行う方法として、矩形を複数の歪み率で予め歪ませた複数の調整用図形をスクリーンに投影し、投影された図形のうちで最も矩形に近いもの選んで、その調整用画像と同一の補正処理を投影画像に施す方法が提案されている（例えば、特許文献１参照）。
【０００３】
【特許文献１】特開２００５−３３６８６号公報
【発明の開示】
【発明が解決しようとする課題】
【０００４】
ところで、調整用画像が矩形状になるのは、調整用画像の歪みが歪み率も含めて全く逆の状態の場合だけである。しかし、実際に生じる台形歪みは多種多様であるのに対して調整用画像の種類は限られているため、調整用画像が矩形に投影されるのはまれであって、矩形に近い似通った調整用画像が複数含まれてしまうのが一般的である。そのため、ユーザは調整用画像の選択に迷い易く、また、似通った形状であるために不適切な画像を選択する可能性が高いという問題がある。
【課題を解決するための手段】
【０００５】
請求項１の発明によるプロジェクタ機能付きデジタルカメラは、被写体像を撮像する撮像手段と、画像データに基づく投影用の画像を投影する投影手段と、カメラ本体に設けられた表示モニタと、前記投影用の画像の投影状態を調整処理する調整モードに設定する設定手段と、前記設定手段により前記調整モードとして前記投影用の画像の台形補正が設定されると、一方の底辺が他方の底辺よりも小さくなるように歪んだ第１の台形パターンと、前記一方の底辺が前記他方の底辺よりも大きくなるように歪んだ第２の台形パターンとにそれぞれ対応し、複数の前記調整処理の各々の調整内容を特徴付ける複数の第１アイコンを、前記表示モニタにそれぞれ表示させる第１の表示制御手段と、前記表示モニタに表示された前記複数の第１アイコンから一つのアイコンを選択するための第１の操作部と、前記第１の操作部の操作により選択された一つのアイコンが前記第１の台形パターンに対応する第１アイコンである場合には、前記一方の底辺が前記他方の底辺よりも小さくなるように歪んでいる互いに異なった複数の台形パターンにそれぞれ対応し、前記台形補正の調整処理に対して微調整する微調整処理を特徴付ける複数の第２アイコンを、前記表示モニタにそれぞれ表示させ、前記第１の操作部の操作により選択された一つのアイコンが前記第２の台形パターンに対応する第１アイコンである場合には、前記一方の底辺が前記他方の底辺よりも大きくなるように歪んでいる互いに異なった複数の台形パターンにそれぞれ対応し、前記台形補正の調整処理に対して微調整する微調整処理を特徴付ける複数の第２アイコンを、前記表示モニタにそれぞれ表示させる第２の表示制御手段と、前記表示モニタに表示された前記複数の第２アイコンから一つのアイコンを選択するための第２の操作部と、前記第１の操作部の操作により前記一つの第１アイコンが選択されると、その選択時に投影されている前記投影用の画像に対して前記選択されたアイコンに対応付けられた台形補正の調整処理を施し、前記第２の操作部の操作により前記一つの第２アイコンが選択されると、前記投影されている前記投影用の画像に対して前記微調整処理を施す調整処理手段と、を備えたことを特徴とする。
【発明の効果】
【０００６】
本発明によれば、調整処理の選択を容易に行うことが可能となり、画像調整を素早く行うことができる。
【発明を実施するための最良の形態】
【０００７】
以下、図を参照して本発明を実施するための最良の形態について説明する。
―第１の実施の形態―
図１は、本発明によるプロジェクタ機能付きデジタルカメラの一実施の形態を示す図である。図１はデジタルカメラ１の外観を示す図であり、（ａ）はデジタルカメラ１の正面側を示し、（ｂ）は背面側を示す。
【０００８】
図１（ａ）に示すように、デジタルカメラ１の筐体内には、撮影ユニット１０とプロジェクタユニット２０とが設けられている。撮影ユニット１０の撮影光学系１００で結像された被写体像は、撮像素子１０１により撮像される。投影ユニット２０は撮影ユニット１０の図示左側に配置されており、投影光は筐体の前面に設けられた投影窓２０ａからカメラ前方に向けて出射される。据え置き型のプロジェクタ装置の場合には、一般的に机上等に載置した状態で投影が行われるが、本実施の形態のプロジェクタ機能付きデジタルカメラの場合には、カメラ本体を机上に載置した状態だけでなく、手に持った状態でスクリーン、壁、床などに簡単に投影することができる。
【０００９】
図１（ｂ）に示すように、デジタルカメラ１の背面側には、液晶モニタ１２、ＰＪボタン１１１、メニューボタン１１２、削除ボタン１１３、ロータリーマルチセレクター１１４、モード切替ボタン１１５が配置されている。また、カメラ上面にはシャッターボタン１１、ズーミング操作を行うためのズームレバー１３、電源スイッチ１４が設けられている。図示していないが、液晶モニタ１２の表面にはタッチパネルが設けられており、液晶モニタ１２の表面をタッチすることで、種々の入力操作を行うことができる。
【００１０】
ＰＪボタン１１１は、カメラ撮影状態とプロジェクタ状態（以下ではＰＪモードと記す）とを切り替えるための操作ボタンである。メニューボタン１１２は、液晶モニタ１２にメニュー画面を表示させるための操作ボタンであり、操作時のモード状態に応じたメニュー画面が液晶モニタ１２に表示される。削除ボタン１１３は、液晶モニタ１２に画像を再生する再生モードにおいて、画像削除を指示するための操作ボタンである。
【００１１】
ロータリーマルチセレクター１１４は、外周部１１４ａ、回転部１１４ｂ、ＯＫボタン１１４ｃを備えている。メニュー画面で表示されている項目や画像を選択する際には、外周部１１４ａの上下部分および左右部分を押すか、または、回転部１１４ｂを回転させて項目等を選択し、ＯＫボタン１１４ｃを押すことで選択した項目に決定する。モード切替ボタン１１５は、カメラ撮影を行う撮影モードと、後述するメモリカードＭＣやカメラ内蔵の記憶部９４に記憶されている画像を再生する再生モードとを切り替える操作ボタンである。
【００１２】
図２はプロジェクタユニット２０の構成を示す図であり、（ｂ）は（ａ）のＡ１−Ａ１断面図である。プロジェクタユニット２０は、高輝度ＬＥＤ等の光源２２１と、集光レンズ２２２と、偏光ビームスプリッタ２２３と、液晶パネル２２４と、投影レンズ２２５と、屈曲プリズム２２８と、これらを収容するケース２２６とを備えている。光源２２１には、放熱ブロック２２７が密着して設けられている。液晶パネル２２４にはＬＣＯＳ等の反射型液晶パネルが用いられているが、透過型の液晶パネルを用いても良い。
【００１３】
集光レンズ２２２は、光源２２１からの光を略平行光にして偏光ビームスプリッタ２２３へ入射させる。偏光ビームスプリッタ２２３に入射した光の内、Ｐ偏光は偏光ビームスプリッタ２２３を透過して液晶パネル２２４を照明する。液晶パネル２２４は、赤、緑、青のフィルターが形成された複数の画素から構成され、カラーの画像を生成するように駆動されている。
【００１４】
液晶パネル２２４の液晶層を透過する光は、液晶パネル２２４へ入射されると当該液晶層を進行し、液晶パネル２２４の反射面で反射された後、液晶層を逆方向に進行して液晶パネル２２４から射出され、偏光ビームスプリッタ２２３へ再度入射される。電圧が印加された液晶層は位相板として機能するので、偏光ビームスプリッタ２２３へ再度入射される光は、Ｓ偏光である変調光とＰ偏光である非変調光との混合光である。偏光ビームスプリッタ２２３は、再入射された光束のうちＳ偏光成分である変調光のみを偏光分離部で反射する。その反射された変調光は、投影レンズ２２５および屈曲プリズム２２８を介して投影窓２０ａからカメラ前方に出射される。
【００１５】
図３はデジタルカメラ１のブロック図である。デジタルカメラ１には、上述した撮影ユニット１０、プロジェクタユニット２０、液晶モニタ１２、プロジェクタユニット２０の光源２２１および液晶パネル２２４の他に、画像処理部６０、操作部９１、ＣＰＵ９２、ビデオ出力端子９３、記憶部９４、タッチパネル９５、位置検出部９６、傾き検出器９７、メモリカードＭＣなどを備えている。
【００１６】
操作部９１は、上述した各操作ボタン１１１〜１１３、ロータリーマルチセレクター１１４、シャッターボタン１１、ズームレバー１３および電源スイッチ１４を含む。画像処理部６０は、信号変換・処理回路６１、圧縮・伸張回路６２、モニタ表示回路６３、パネル表示回路６４を含む。液晶モニタ１２の表面に設けられているタッチパネル９５を指等でタッチすると、位置検出部９６によりタッチ位置が検出される。また、傾き検出器９７は、ジャイロ等のカメラ本体の傾きを検出するものである。位置検出部９６および傾き検出器９７の検出情報はＣＰＵ９２に入力される。
【００１７】
記憶部９４は、バッファメモリやＣＰＵ９２のワーキングメモリを含む。ビデオ出力端子９３からは、投影画像、撮影画像および再生画像の画像信号が出力され、例えば、ビデオ出力端子９３に表示モニタを接続することで、その表示モニタに投影画像、撮影画像および再生画像を表示させることができる。
【００１８】
撮影ユニット１０の撮影レンズ１００を通過した光束は、撮像素子１０１に受光されて光電変換される。撮像素子１０１の光電変換出力は、画像処理部６０の信号変換・処理回路６１でＡ／Ｄ変換されるとともに、種々の画像処理が施され、画像データが生成される。画像データは、圧縮・伸張回路６２で圧縮され、像記録媒体であるメモリカードＭＣに記録される。
【００１９】
カメラの状態を再生モードに設定すると、メモリカードＭＣに記録されている画像データに基づく表示用画像を液晶モニタ１２に表示することができる。この場合、表示すべき画像データがメモリカードＭＣから読み込まれ、圧縮／伸張回路６２にて伸張され、信号変換・処理回路６１を経由してモニタ表示回路６３に送られる。モニタ表示回路６３は、入力された画像を液晶モニタ１２に表示する。
【００２０】
カメラの状態を撮影モードに設定すると、撮像素子１０１により繰り返し撮像される画像が、液晶モニタ１２に動画として表示される。このように、繰り返し撮像される動画をスルー画と呼び、撮影者はスルー画を見ながら構図決定を行うことができる。なお、デジタルカメラ１は動画撮影モードも備えていて、撮像素子１０１により繰り返し撮像される画像を動画としてメモリカードＭＣに記憶させることができる。
【００２１】
ＰＪモードでは、メモリカードＭＣに記録された画像データに基づく投影用画像を、プロジェクタユニット２０により投影することができる。この場合、投影すべき画像データがメモリカードＭＣから読み込まれ、圧縮・伸張回路６２にて伸張され、信号変換・処理回路６１を経由してパネル表示回路６４に送られる。パネル表示回路６４は、入力された画像データを液晶パネル２２４に表示する。この状態で光源２２１を点灯すると、液晶パネル２２４に表示されている画像が投影画像として読み出され、投影窓２０ａから投影される。
【００２２】
《投影動作の説明》
次に、ＰＪモードにおいて、投影画像の調整、例えば、台形補正調整、輝度調整などを行う場合の動作について説明する。電源スイッチ１４をオン操作すると、カメラが起動し撮影モードとなる。ＰＪボタン１３を押すとＰＪモードに切り替わり、画像投影が可能な状態となる。このとき、スクリーンには予め定められた所定画像がプロジェクタユニット２０により投影され、液晶モニタ１２は消灯状態となっている。所定画像とは、カメラ内に予め記憶されている投影用画像であるが、ユーザが所望の画像から作成できるようにしても良い。
【００２３】
次いで、ロータリーマルチセレクター１１４の外周部１１４ａの右側（３時の位置）を押すと、メモリカードＭＣに記憶されている画像データの内の直近の画像データに基づいて、投影画像が投影される。画像送り操作をする際には外周部１１４ａ右側を押し、逆に、画像戻り操作をする場合には外周部１１４ａの左側（９時の位置）下部を押す。また、外周部１１４ａの上部または下部を押す代わりに、ロータリーマルチセレクター１１４の回転部１１４ｂを時計回り（右回転）または反時計回り（左回転）に回転しても良い。
【００２４】
画像投影中に画像調整を行いたい場合には、メニューボタン１１２を押す。メニューボタン１１２が押されると液晶モニタ１２が点灯され、液晶モニタ１２に図４（ａ）に示すような調整項目画面が表示される。すなわち、画像補正モードに入る。調整項目１２１ａ〜１２１ｄは縦に並べて表示され、選択されている項目を示すマーク１２１が調整項目１２１ａ〜１２１ｄの左側に表示されている。ロータリーマルチセレクター１１４の回転部１１４ｂまたは外周部１１４ａを操作することにより、マーク１２２を上下に移動して選択項目の変更を行う。
【００２５】
例えば、回転部１１４ｂを右回りに回転するとマーク１２２が下方に移動し、回転部１１４ｂを左回りに回転するとマーク１２２が上方に移動する。一方、外周部１１４ａで操作する場合には、外周部１１４ａの下部を押すとマーク１２２が下方に移動し、上部を押すとマーク１２２が上方に移動する。図４（ａ）では４つの項目しか示していないが、いっぺんに表示できないほど項目数が多い場合には、マーク１２２を下げ続けると項目表示の全体が上方にスクロールし、下側に隠れていた項目がマーク１２２の右側に表示される。
【００２６】
設定変更と記された項目１１２ｄは、調整項目画面の表示形態を変更するための項目である。例えば、図４（ａ）では各調整項目の調整内容を文字で表示しているが、図４（ｂ）に示すような絵柄（以下ではアイコンと呼ぶことにする）で表示しても良い。そして、このような表示の設定は、設定変更項目１１２ｄを選択して行う。マーク１２２を移動して調整項目を選択し、ロータリーマルチセレクター１１４のＯＫボタン１１４ｃを押すとその調整項目に決定され、図５に示すような調整画面が表示される。
【００２７】
図５は台形補正に関する調整画面であって、図４において台形補正を選択してＯＫボタン１１４ｃを押すと、図５に示す画面が液晶モニタ１２に表示される。図５に示す例では、液晶モニタ１２の表示領域は９個の分割表示領域１２３ａ〜１２３ｉに分けられ、各分割表示領域１２３ａ〜１２３ｉにはアイコン１４１〜１４８および「微調整」という文字が表示されている。分割表示領域１２３ａ〜１２３ｈに表示された８個のアイコン１４１〜１４８は、台形歪みの典型的な例を示したものであり、実際に投影された画像領域の形状はこれらのいずれかに分類される。また、分割領域１２３ｉは、分割表示領域１２３ａ〜１２３ｈのアイコン１４１〜１４８を選択して行われる台形補正に対して、それらの微調整を行う際に選択される。
【００２８】
図５の画面が表示されると、アイコン選択用の選択枠１２４が中央の分割表示領域１２３ｅに自動的に表示される。もちろん、自動的に表示される選択枠１２４の位置は分割表示領域１２３ｅに限定されない。選択枠１２４は、ロータリーマルチセレクター１１４を回転部１１４ｂまたは外周部１１４ａを操作することにより、分割表示領域間で移動させることができる。回転部１１４ｂで操作する場合には、右回りに回転すると、分割表示領域１２３ｅにある選択枠１２４は領域１２３ｆ、１２３ｇ、１２３ｈのように移動し、逆に左回りに回転すると、選択枠１２４は領域１２３ｄ、１２３ｃ、１２３ｂのように移動する。外周部１１４ａで操作する場合には、押された側と同一方向に選択枠１２４が移動する。  
【００２９】
なお、スクリーン上には図６（ａ）に示すような投影画像１００が投影されているが、図５に示す画面が液晶モニタ１２上に表示されると同時に、投影画像１００を図６（ｂ）に示すような台形補正専用画像１１０に切り替えるようにしても良いし、図６（ｂ）の画像１１０を図６（ａ）の画像１００に重畳して投影するようにしても良い。画像１１０には格子状の模様が表示されているため、画像の歪みが視覚的に認識しやすい。図６（ａ），（ｂ）に示す例では、スクリーンに投影された画像全体の輪郭から、例えば、分割表示領域１２３ｇに示すアイコン１４７のように画像が台形状に歪んでいることが認識できる。画像１１０をスクリーン上に投影した場合には、格子模様の歪みから台形状に歪んでいることがより容易に分かる。
【００３０】
図５に示した各アイコン１４１〜１４８の形状は、台形歪みが生じたときの投影画像の輪郭を表しており、投影画像の輪郭形状とほぼ同じ形状のアイコンを選択すると、台形歪みが補正されてほぼ矩形状の輪郭を有する画像が投影されることになる。図６（ａ），（ｂ）に示すような投影画像の場合、分割表示領域１２３ｇのアイコン１４７を選択し、ＯＫボタン１１４ｃを押して台形補正処理を実行する。その結果、投影画像１００は矩形状に補正される。ここで設定された台形補正は再び他の台形補正が設定されるまでは保持され、以降の投影画像に対しても同様の補正処理が施される。なお、デジタルカメラ１の電源をオフすると、この補正処理の設定はクリアされ初期状態に戻る。
【００３１】
台形補正処理後の液晶モニタ１２の表示は、図５のままでも良いし、図４に示す表示に切り替えるようにしても良い。図４の表示に切り替える形態の場合、引き続いて微小調整ができるように図４の項目の一つに微小調整項目を表示させるようにする。そして、その微小調整項目が選択されてＯＫボタン１１４ｃが押されると、図７に示す微小調整画面が液晶モニタ１２に表示される。一方、図５の表示のままとする形態の場合には、選択枠１２４を分割表示領域１２３ｉに移動してＯＫボタン１１４ｃを押すと、図７に示す画面に表示が切り替わる。
【００３２】
なお、図５に示す各アイコン１４１〜１４８を選択して行われる補正の場合には、それぞれ補正量は予め決められている。その補正量は、例えば、通常使用時の平均的な台形歪み量に応じた補正量に設定されている。そのため、殆どの場合には微小調整は必要ないが、実際の台形歪みと所定補正で補正できる量と離れている場合には補正が不十分となりやすく、補正後の画像形状が矩形状からずれやすい。そのような場合に、図７の表示を用いた微調整が行われる。
【００３３】
図７に示す微調整画面では、分割領域１２３ｇに表示されていたものと同一形状のアイコン１３０が中央に表示され、その右側には強めの台形補正を指示するための「強」と表示された三角アイコン１３１が、左側には弱めの台形補正を指示するための「弱」と表示された三角アイコン１３２がそれぞれ表示されている。１３３は、アイコン１３１，１３２により指定された台形補正が初期設定に対して強めか弱めかを示すバー表示であり、指標１３３ａの位置で初期設定に対する微小調整量を表す。指標１３３が中央にあると「微調整量＝ゼロ」で、中央から右側に遠ざかるほど補正量は大きくなり、左側に遠ざかるほど補正量は小さくなる。回転部１１４ｃの場合には、右回り操作で補正が大きくなり、左回り操作で補正が小さくなる。そして、ＯＫボタン１１４ｃを押すと、強めまたは弱めの台形補正処理が実行され、液晶モニタ１２の表示は図７の表示に切り替わる前の表示（図４または図５の表示）に戻る。
【００３４】
図８，９は、台形補正に関する調整画面の他の形態を示す図である。この形態の場合には、図４に示す画面で台形補正が選択されてＯＫボタン１１４ｃが押されると、上述した図５ではなく図８（ａ）に示す画面へと切り替わる。図８（ａ）では、液晶モニタ１２の表示領域は４つの分割表示領域１２３ａ〜１２３ｄに分割され、図５に示すアイコン１４１〜１４８の中から、台形補正の代表的な３つのパターンを示すアイコン１４４，１４７，１４８が表示されている。
【００３５】
アイコン１４４は画像の右側が小さくなるように歪んだパターンを代表しており、このパターンには図５に示したアイコン１４１，１４４が含まれる。また、アイコン１４７は画像の上側が小さくなるように歪んだパターンを代表しており、このパターンには図５に示したアイコン１４５，１４６，１４７が含まれる。さらに、アイコン１４８は画像の上側が小さくなるように歪んだパターンを代表しており、このパターンには図５に示したアイコン１４２，１４３，１４８が含まれている。ユーザは、スクリーン上に投影されている画像の輪郭と、液晶モニタ１２上に表示されているアイコン１４４，１４７，１４８の形状とを比較し、最も似ているアイコンを選択する。
【００３６】
図８（ａ）においてアイコン１４７を選択してＯＫボタン１１４ｃを押すと、図８（ｂ）に示す表示に切り替わる。図８（ｂ）では、表示領域は９つの分割標示領域に分割され、中央の分割表示領域１２３ｅに選択されたアイコン１４７が標示され、その上側の分割標示領域１２３ｂにアイコン１４５が標示され、下側の分割標示領域１２３ｈにアイコン１４６が標示されている。さらに、図８（ｂ）に示す画面には、これらのアイコン１４５，１４６，１４７だけでなく、それらを微調整した状態のアイコンも表示されている。
【００３７】
すなわち、アイコン１４５の右側の分割標示領域１２３ｆには、より強い補正を示すアイコン１４７ｂが示され、アイコン１４５の右側の分割標示領域１２３ｄには、より弱い補正を示すアイコン１４７ａが示されている。アイコン１４５および１４６で示される補正に対しても、同様である。このように、図８（ｂ）の画面では、アイコン１４５〜１４７で示す典型的な補正だけでなく、それを微調整した状態も選択することができる。なお、上述した図７に示す微調整用画面においても、アイコン１３１，１３２およびバー表示１３３を表示する代わりに、微調整用のアイコンを複数表示するようにしても良い。
【００３８】
一方、図８（ａ）の画面でアイコン１４８を選択してＯＫボタン１１４ｃを押すと、図９（ａ）に示すような画面表示に切り替わる。この場合も、中央の列の分割標示領域１２３ｂ，１２３ｅ，１２３ｈに、下側が小さく投影されるパターンを示すアイコン１４２，１４８，１４３が表示される。そして、それらの左右の分割標示領域には、微調整された状態のアイコンがそれぞれ表示されている。また、図８（ａ）の画面でアイコン１４４を選択してＯＫボタン１１４ｃを押すと、図９（ｂ）に示すような画面表示に切り替わる。中央の列の分割標示領域１２３ｂ，１２３ｅにはアイコン１４１，１４４が表示され、それらの左右の分割標示領域には、微調整された状態のアイコンがそれぞれ表示されている。
【００３９】
上述した説明では、図４に示す調整項目画面で台形補正を選択した場合の調整画面について説明したが、アスペクトや輝度調整などの他の項目が選択された場合には、図５の画面に代えて図１０，１１に示すような調整画面が表示される。図１０は、アスペクトに関する調整画面の一例を示したものである。アイコン１５０は縦横比３：４の標準画像に補正する処理を示し、アイコン１５１はハイビジョン対応のアスペクト比に補正する処理を示す。また、アイコン１５２は正方形画像に補正するためのアイコンであり、アイコン１５３は縦横比４：３の画像に補正するためのアイコンである。また、アイコン１５４〜１５８は、画像を矩形以外の形状に切り出す場合に選択される。
【００４０】
図１１は輝度調整、画面大きさ調整および画像のシャープネスに関する調整画面を示す図であり、いずれの場合も調整状態の数が４以下であるため、表示画面は４つの分割表示領域１２３ａ〜１２３ｄに分割されている。図１１（ａ）の輝度調整用の調整画面では、省電力状態、暗表示状態、標準状態、明表示状態の各アイコンが、「省」、「暗」、「標準」、「明」という文字とともに分割表示領域１２３ａ〜１２３ｄに表示されている。図１１（ｂ）の輝度調整用の調整画面では、大きさの異なる矩形アイコンとともに、「小」、「中」、「大」、「明」という文字を分割表示領域１２３ａ〜１２３ｄに表示するようにした。この場合、矩形アイコンの大きさから大きさの違いが一目で分かる。
【００４１】
図１１（ｃ）は画像のシャープネスに関する調整画面の一例を示したもので、シャープネスの程度を表す「弱」、「中」、「強」という文字とともに、格子模様の格子の数で補正の程度が視覚的に分かるようにした。なお、輝度やシャープネスの場合には、補正の効果が分かりやすい専用の画像はスクリーン上に投影し、補正処理の結果をその専用画像で確認するような構成としても良い。
【００４２】
［変形例１］
上述した実施の形態では、図５に示す選択枠１２４を所望のアイコンが表示された分割表示領に移動させ、その後にＯＫボタン１４１ｃを押して設定を確定して初めて投影画像に対する補正処理が施される。一方、変形例１では、図５の表示画面において選択枠１２４を移動すると、選択枠１２４が分割表示領に移動しただけで、移動先のアイコンで示される補正処理が即実行され、スクリーン上に補正後の画像が表示される。ユーザは、スクリーン上の画像を見て、補正が適切と判断した場合にはＯＫボタン１１４ｃを押して設定を確定する。確定された設定は、再び台形補正処理が設定されるまで保持される。すなわち、以後投影される画像の全てに対して、ここで設定された台形補正処理が施される。
【００４３】
上述した実施の形態の場合には、設定を確定するまで補正後の画像が実際にどのように投影されるか確認することができないので、補正が適切でない場合には、再び、アイコンを選択してＯＫボタン１１４ｃを押すという操作を行うまで別の補正後画像を確認することができない。一方、変形例１の場合には、図５の表示画面において選択枠１２４を移動させるだけで、補正状態を投影画像によって確認することができ、補正処理がし易くなる。特に、輝度やシャープネスなどのように実際の画像で確かめないと適否が分かり難い場合には、この機能は非常に便利である。
【００４４】
また、図１０のアイコン１５４〜１５８のように調整する場合、選択枠１２４で選択した状態で切り出し位置を調整し、切り出し位置の調整後にＯＫボタン１１４ｃを押して調整処理を確定するようにしても良い。例えば、選択枠１２４をアイコン１５５の分割表示領域１２３ｆに移動すると、画面中央部分をハート型に切り出した画像が投影される。その後、外周部１１４ａの上下左右位置を押して切り出し位置を画面内で移動させると、それに応じて画面内の異なる領域の画像がハート形に切り出される。所望の切り出し状態になったならば、ＯＫボタン１１４ｃを押す。
【００４５】
なお、ロータリーマルチセレクター１１４の回転部１１４ｂを回転操作して選択枠１２４を移動させる場合、選択枠１２４を素早く移動することができる。その場合、選択枠１２４が分割表示領域を通過しただけで補正画像をスクリーンに投影させると、画像がめまぐるしく変化して不快感を与えるので、分割表示領域に選択枠１２４が所定時間以上滞在したときにのみ、補正処理された画像を投影するようにしても良い。
【００４６】
［変形例２］
上述した実施の形態では、カメラを操作しているユーザが投影画像の台形歪みに気づかないと、台形補正処理が実行されないことになる。そこで、変形例２のデジタルカメラ１では、カメラ本体の姿勢の変化を図３に示す傾き検出器９７で検出したならば、液晶モニタ１２を点灯するとともに、図４に示す調整用表示画面を液晶モニタ１２に表示してユーザに台形補正処理を促すようにする。ユーザは、液晶モニタ１２が自動点灯したことで、何らかの補正処理が必要であることを認識することができる。
【００４７】
上述した実施の形態では、ロータリーマルチセレクター１１４を操作することでアイコンの選択等を行ったが、タッチパネル９５をタッチすることで選択等を行うようにしても良い。また、本発明の特徴を損なわない限り、本発明は上記実施の形態に何ら限定されるものではない。
【図面の簡単な説明】
【００４８】
【図１】本発明によるプロジェクタ機能付きデジタルカメラの一実施の形態を示す図であり、（ａ）はデジタルカメラ１の正面側を示し、（ｂ）は背面側を示す。
【図２】プロジェクタユニット２０の構成を示す図であり、（ｂ）は（ａ）のＡ１−Ａ１断面図である。
【図３】デジタルカメラ１のブロック図である。
【図４】調整項目画面の表示形態を示す図であり、（ａ）は各調整項目を文字で表示した場合を示し、（ｂ）は各調整項目をアイコンで表示した場合を示す。
【図５】台形補正に関する調整画面を示す図である。
【図６】調整処理時の投影画像を説明する図であり、（ａ）は通常の投影画像１００を表示した場合を示し、（ｂ）は台形補正専用画像１１０を表示した場合を示す。
【図７】微調整画面を示す図である。
【図８】台形補正に関する調整画面の他の例を示す図であり、（ａ）項目選択後に表示される第１の画面を示し、（ｂ）はアイコン１４７が選択された後に表示される第２の画面を示す。
【図９】台形補正に関する調整画面の他の例を示す図であり、（ａ）は第１の画面でアイコン１４８が選択された後に表示される第２の画面を示し、（ｂ）は第１の画面でアイコン１４４が選択された後に表示される第２の画面を示す。
【図１０】アスペクトに関する調整画面の一例を示す図である。
【図１１】調整画面の他の例を示す図であり、（ａ）は輝度調整関する調整画面を示し、（ｂ）は画面大きさ調整に関する調整画面を示し、（ｃ）は画像のシャープネスに関する調整画面を示す。
【符号の説明】
【００４９】
１：デジタルカメラ、１０：撮影ユニット、１２：液晶モニタ、２０：プロジェクタユニット、６０：画像処理部、９１：操作部、９２：ＣＰＵ、９４：記憶部、９５：タッチパネル、９６：位置検出部、９７：傾き検出部、１０１：撮像素子、１１０：台形補正専用画像、１１２：メニューボタン、１１４：ロータリーマルチセレクター、１１４ａ：外周部、１１４ｂ：回転部、１１４ｃ：ＯＫボタン、１３０〜１３２，１４１〜１４８，１４１ａ〜１４８ａ，１４１ｂ〜１４８ｂ，１５０〜１５８：アイコン
【図１】
0005422888.tif 000002
【図２】
0005422888.tif 000003
【図３】
0005422888.tif 000004
【図４】
0005422888.tif 000005
【図５】
0005422888.tif 000006
【図６】
0005422888.tif 000007
【図７】
0005422888.tif 000008
【図８】
0005422888.tif 000009
【図９】
0005422888.tif 000010
【図１０】
0005422888.tif 000011
【図１１】
0005422888.tif 000012